(57)【要約】【課題】  本発明の目的は、使用者が意識することなく、使用時には適切な下肢吐水を浴びることができ、かつ非使用時には、確実に本体外部への湯水の飛散を防止できる下肢吐水装置を提供することにある。【解決手段】  本発明は、使用者の下肢を収納する本体と、本体内部に下肢を挿入するための開口部と、本体内部に収納した足裏を載置可能に形成された足置き台と、本体内部に収納した下肢を指向して湯水を吐出する吐水手段を有する下肢吐水装置において、足置き台に足を置いていない状態では、吐水手段の吐水方向が前記開口部に指向しておらず、足置き台に足を置いたことで足置き台が動く作用で吐水手段が足に向かって吐水する方向に回転する回転機構を設けたことを特徴とした。【選択図】  図１
2007111250.tif 000002
【特許請求の範囲】
【請求項１】
使用者の下肢を収納する本体と、該本体内部に下肢を挿入するための開口部と、該本体内部に収納した足裏を載置可能に形成された足置き台と、該本体内部に収納した下肢を指向して湯水を吐出する吐水手段を有する下肢吐水装置において、前記足置き台に足を置いていない状態では、前記吐水手段の吐水方向が前記開口部に指向しておらず、前記足置き台に足を置いたことで足置き台が動く作用により、前記吐水手段を下肢に向かって吐水する方向に回転させる回転機構を設けたことを特徴とする下肢吐水装置。
【請求項２】
前記回転機構は、下方に踏み下げられた前記足置き台に連通した回転軸と連動して回転するギアの作用によることを特徴とする請求項１に記載の下肢吐水装置。
【請求項３】
前記回転機構は、踏み込まれた前記足置き台と連動して前方へ送られるベルトの作用によることを特徴とする請求項１に記載の下肢吐水装置。
【請求項４】
使用者の下肢を収納する本体と、該本体内部に下肢を挿入するための開口部と、該本体内部に収納した足裏を載置可能に形成された足置き台と、該本体内部に収納した下肢を指向して湯水を吐出する吐水手段を有する下肢吐水装置において、前記本体内部に足の存在を検知する検知手段を設け、足が存在していない状態では、前記吐水手段の吐水方向が前記開口部に指向しておらず、足を存在した状態を検知した信号を受けて、前記吐水手段を下肢に向かって吐水する方向に回転させる電力モータによる回転機構を設けたことを特徴とする下肢吐水装置。
【発明の詳細な説明】
【技術分野】
【０００１】
本発明は下肢吐水装置に係り、下肢を本体に挿入していない（非使用時）時に、誤って吐水が開始された場合にも、本体外部に湯水が飛散することがない下肢吐水装置に関する発明である。
【背景技術】
【０００２】
従来の下肢吐水装置は、下肢を本体に挿入して使用している場合において、湯水の飛散を防止するカバーを有し、周囲の水濡れを防止する構造を有している。（例えば、特許文献１参照）
【０００３】
【特許文献１】特開平６−４６９６５号
【発明の開示】
【発明が解決しようとする課題】
【０００４】
しかしながら従来の下肢吐水装置では、開口部より挿入した下肢の適切な部位に吐水を浴びせかけるような位置、角度で吐出手段が構成されており、その際の湯水の飛散を防止する位置、角度、サイズで飛散防止のカバーが設けられている。そのため、下肢を挿入していない場合（非使用時）に誤って吐水を開始してしまった場合には、カバーはその役目を果たさずに、開口部から本体外部へ湯水が吐出してしまい、周囲の水濡れを引き起こしてしまうという問題がある。
【０００５】
下肢挿入部の開口部に指向して、吐水手段（吐水ノズル）が配置されているのが通常の構成であり、吐水ノズルを可動式にして、使用していない時に吐水ノズルの向きを、開口部に指向しない向きに都度動かすことも可能であるが、使用時に手間が生じることと、確実に向きを変えておかなければ、やはり同様の湯水飛散の問題が生じる。
【０００６】
本発明は、上記問題を解決するためになされたもので、本発明の目的は、使用者が意識することなく、使用時には適切な下肢吐水を浴びることができ、かつ非使用時には、確実に本体外部への湯水の飛散を防止できる下肢吐水装置を提供することにある。
【課題を解決するための手段】
【０００７】
上記目的を解決するために、本発明においては、使用者の下肢を収納する本体と、該本体内部に下肢を挿入するための開口部と、該本体内部に収納した足裏を載置可能に形成された足置き台と、該本体内部に収納した下肢を指向して湯水を吐出する吐水手段を有する下肢吐水装置において、前記足置き台に足を置いていない状態では、前記吐水手段の吐水方向が前記開口部に指向しておらず、前記足置き台に足を置いたことで前記足置き台が動く作用で前記吐水手段が足に向かって吐水する方向に回転する回転機構を設けたことを特徴としたので、使用者が意識することなく、使用時には適切な下肢吐水を浴びることができ、かつ非使用時には、確実に本体外部への湯水の飛散を防止できる下肢吐水装置を実現できる。
【発明を実施するための最良の形態】
【０００８】
本発明の実施例に係る下肢吐水装置を説明する。
図１（ａ）に示すように、本実施例に係る下肢吐水装置Ａは、本体１と開口部２とカバー２ａ、足置き台３、足指・甲吐水ノズル４、足裏吐水ノズル５を備え、給水手段６ａから配管内を通水し、本体１の内部空間に配置される足指・甲吐水ノズル４、足裏吐水ノズル５へ吐水流体を供給し、足10へ吐水する。吐水された湯、水は、本体底部に設けられた排水手段６ｂを通じて、外部へ排出されるように構成されている。
足置き台３、足指・甲吐水ノズル４、足裏吐水ノズル５の高さ位置関係には
h1＜h2＜h3という関係が成立する。
【０００９】
図１（ｂ）に示すように、本発明に係る給水手段６ａに関しては、サーモスタット水栓などの適温湯水供給手段６ｃを通じて本体へ湯、水を供給し、排水口などの排水手段６ｂから使用時には常時排水するという形態がとれる。また図１（ｃ）に示すように、湯水循環用のポンプ６ｄを用いて、使用する湯水を循環させるという形態もとれる。
【００１０】
図２に示すように、吐水ノズル５ａは、湯、水といった流体が流入する流入室５ｂと、流入室５ｂ内に組み込まれ、流入室５ｂの流体を噴射する噴射口を備えた噴射体５ｃと、流入室５ｂに入る流体が旋回流を起こすように導く管路を有する給水機構を有し、噴射体５ｃは、流入室５ｂ内で傾斜した姿勢で揺動吐水可能に流入室５ｂに組み込まれた構成を要する。
【００１１】
図３（ａ）に示すように、本体１内の足置き台３に足10が置かれていない状態では、足置き台３は、ヒンジ１１を回転の軸として、ばね７で本体内部上方へ押し上げられた状態で保持される。足裏ノズル５は回転軸を有しており、回転軸にはギア８が設けられている。カムシャフト９はギア８とかみ合うように足置き台３に取り付けられており、図３（ａ）の状態では、足裏ノズル５は本体１の底部を向いており、この状態で吐水しても本体外部へ湯、水が飛散することはない。
次に図３（ｂ）に示すように、本体１内の足置き台３に足10が置かれた状態では、置かれた足の重みでばね７が縮み、ヒンジ１１を回転の軸として、足置き台３は本体内部下方へ押し下げられた状態で保持される。その場合、カムシャフト９が下方に押し下げられると同時に、ギア８で連結された足裏ノズル５は足10の裏面を指向する向きに回転し、足裏吐水に適した状態になる。またばね７の付勢手段により、足置き台３は足10が足置き台３から外れると、図３（ａ）の状態に復帰する。
【００１２】
図４（ａ）に示すように、本体１内の足置き台103に足10が置かれていない状態では、足置き台103はギア108ｂと連結された軸を回転軸として、ばね107で本体内部上方へ押し上げられた状態で保持される。足裏ノズル105は回転軸を有しており、回転軸にはギア108ａが設けられている。ギア108ａはギア108ｂとかみ合うように取り付けられており、図４（ａ）の状態では、足裏ノズル105は本体１の側部に向いており、この状態で吐水しても本体外部へ湯、水が飛散することはない。
次に図４（ｂ）に示すように、本体１内の足置き台103に足10が置かれた状態では、置かれた足の重みでばね107が縮み、ギア108ｂと連結された軸を回転軸として、足置き台103は本体内部下方へ押し下げられた状態で保持される。その場合、ギア108ａで連結された足裏ノズル105は、足10の裏面を指向する向きに回転し、足裏吐水に適した状態になる。またばね107の付勢手段により、足置き台103は足10が足置き台103から外れると、図４（ａ）の状態に復帰する。
【００１３】
図５（ａ）に示すように、本体１内のタイミングベルト状の足置き部203に足10が置かれていない状態では、足置き部203は２個のローラ211で保持されている。足裏ノズル205は回転軸を有しており、回転軸にはギア208が設けられている。ギア208はタイミングベルトに設けられた歯とかみ合うように取り付けられており、図５（ａ）の状態では、足裏ノズル205は本体１の底部に向いており、この状態で吐水しても本体外部へ湯、水が飛散することはない。
次に図５（ｂ）に示すように、本体１内の足置き部203に足10が置かれ、足置き部203に設けられたストッパガイド212を前方に押し出すと、足置き部203は全体が前方へ繰り出され、ギア208が軸回転し、ギア208と連結された足裏ノズル205は、足10の裏面を指向する向きに回転し、足裏吐水に適した状態になる。また２個のローラ211は付勢手段を有しており、足置き部203は足10がストッパガイド212から外れると、図５（ａ）の状態に復帰する。
【００１４】
図６（ｃ）、図７（ｃ）を例に検知手段を示す。図６（ｃ）では検知手段314が足置き台303の下方に設けられている。この検知手段は接点形の機械式スイッチであり、上方より力が加えられるとスイッチ上部の凸部が押されてへこみ、その間オンになるものであり、力が取り除かれると凸部が戻りオフになるものである。ここでは接点形の機械式スイッチを足置き台303の下方に設け、足置き台の上下動でスイッチをオンオフしているが、直接足10でオンオフする位置にスイッチを配置しても良い。またこの検知手段は接点形の機械式スイッチの他に図７（ｃ）に示すように本体内部に設けられた検知手段414は、非接点式の光電センサでも構わないし、マイクロ波などの電波センサでも構わない。要するに足10を何らかの電気的信号で検知し、足10が存在していない状態では吐水手段が開口部２に指向せず、足が存在したことを検知して吐水手段を下肢に向かって吐水する方向に回転させる電力モータに指示をする手段であれば如何なる方法であっても良い。
【００１５】
検知手段を含んだ装置の一例を図６（ａ）（ｂ）に示す。本体１内の足置き台303に足10が置かれていない状態では、足置き台303は、ヒンジ311を回転の軸として、ばね307で本体内部上方へ押し上げられた状態で保持される。足裏ノズル305は回転軸とともに電力モータ308に連結されており、接触式スイッチ309は制御部312を介して、該電力モータ308と接続されている。図６（ａ）の状態では、接触式スイッチ309は足が置かれていない状態を検知しているため、電力モータ308は足10の裏面を指向しない向き（初期位置）に停止しているため、足裏ノズル305は本体１の底部を向いており、この状態で吐水しても本体外部へ湯、水が飛散することはない。次に図６（ｂ）に示すように、本体１内の足置き台303に足10が置かれた状態では、置かれた足の重みでばね７が縮み、ヒンジ311を回転の軸として、押し下げられた状態で保持される。その場合に接触スイッチ309がオン状態になり、足置き台303に足10が置かれたことを検知する。その信号を制御部312が受けて、電動モータ308を動作させ、足裏ノズル305を足10の裏面を指向する向きに回転させることで足裏吐水に適した状態になる。またばね７の付勢手段により、足置き台303は足10が足置き台303から外れると、図６（ａ）の状態に復帰する。
【００１６】
検知手段を含んだ装置の別の一例を図７（ａ）（ｂ）に示す。図７（ａ）に示すように、足裏ノズル405は回転軸とともに電力モータ408に連結されており、非接触式センサ409は制御部412を介して、電力モータ408と接続されている。本体１内に足10を挿入していない図７（ａ）の状態では、非接触式センサ409は下肢が挿入されていない状態を検知しており、電力モータ408は足10の裏面を指向しない向き（初期位置）に停止しているため足裏ノズル405は本体１の底部を向いており、この状態で吐水しても本体外部へ湯、水が飛散することはない。次に本体１内に足10が挿入された図７（ｂ）の状態では、非接触式センサ409は足10が挿入された状態を検知し、その信号を制御部412が受けて、電動モータ408を動作させ、足裏ノズル405を足10の裏面を指向する向きに回転させることで足裏吐水に適した状態になる。
【図面の簡単な説明】
【００１７】
【図１】（ａ）本発明の下肢吐水装置を説明するための全体構成図である。（ｂ）本発明の下肢吐水装置における給水・排水方法の一形態を説明するための全体構成図である。（ｃ）本発明の下肢吐水装置における湯水循環方法の一形態を説明するための全体構成図である。
【図２】本発明の噴射体の動作例を示す説明図である。
【図３】（ａ）本発明の第１実施例を示す説明図である（足が入っていない状態）。（ｂ）本発明の第１実施例を示す説明図である（足が入っている状態）。
【図４】（ａ）本発明の第２実施例を示す説明図である（足が入っていない状態）。（ｂ）本発明の第２実施例を示す説明図である（足が入っている状態）。
【図５】（ａ）本発明の第３実施例を示す説明図である（足が入っていない状態）。（ｂ）本発明の第３実施例を示す説明図である（足が入っている状態）。
【図６】（ａ）本発明の第４実施例を示す説明図である（足が入っていない状態）。（ｂ）本発明の第４実施例を示す説明図である（足が入っている状態）。（ｃ）本発明の第４実施例を基に検知手段を示す説明図である。
【図７】（ａ）本発明の第５実施例を示す説明図である（足が入っていない状態）。（ｂ）本発明の第５実施例を示す説明図である（足が入っている状態）。（ｃ）本発明の第５実施例を基に検知手段を示す説明図である。
【符号の説明】
【００１８】
１…本体
２…開口部
２a…カバー
３…足置き台
４…足指・甲ノズル
５…足裏ノズル
５a…吐水ノズル
５b…流入室
５c…噴射体
５d…ガイド部
６a…給水手段
６b…排水手段
６c…適温温水供給手段
６d…湯水循環ポンプ
７…ばね（付勢手段）
８…ギア部
９…カムシャフト部
１０…足
１１…ヒンジ
１０３…足置き台
１０５…足裏ノズル
１０７…ばね（付勢手段）
１０８…ギア部
２０３…足置き部（タイミングベルト状）
２０５…足裏ノズル
２０８…ギア部
２１１…ローラ（付勢手段付き）
２１２…ストッパガイド
３０３…足のせ台
３０５…足裏ノズル
３０７…ばね（付勢手段）
３０８…電力モータ
３０９…接触式スイッチ
３１１…ヒンジ
３１２…制御手段
３１４…検知手段
４０３…足のせ台
４０５…足裏ノズル
４０８…電力モータ
４０９…非接触式センサ
４１２…制御手段
４１４…検知手段
【図１】
2007111250.tif 000003
【図２】
2007111250.tif 000004
【図３】
2007111250.tif 000005
【図４】
2007111250.tif 000006
【図５】
2007111250.tif 000007
【図６】
2007111250.tif 000008
【図７】
2007111250.tif 000009